(57)【要約】【課題】動画用記録形式にのみ対応した再生装置においても、静止画データを、所望の順序とタイミングで再生できるように記録する。【解決手段】挿入する静止画をユーザがリモコン操作で選択したら、システム制御部１０５は、ドライブ装置部１１３に装着されているメモリカード１１３から選択された静止画を、静止画読込／書込部１１０を介して読み出し、静止画圧縮部１１１において、動画用記録形式であるＭＰＥＧ規格で静止画を圧縮する。システム制御部１０５は、Ｉピクチャの画像を複製し、ＧＯＰを構成するピクチャデータに変化がない０．５秒分の静止画のＧＯＰをつくり、動画読込／書込部１０９によりリムーバブルＨＤＤ１１２の動画コンテンツに静止画をＧＯＰとして挿入し記録を行う。【選択図】          図１
2005012270.tif 000002
【特許請求の範囲】
【請求項１】
記録媒体に対して動画データを書き込みできる録画装置であって、
静止画用記録形式の静止画データを動画用記録形式の静止画データに変換する静止画変換手段と、
前記記録媒体に動画用記録形式のデータを書き込む動画書込手段と、
前記動画書込手段が、前記静止画変換手段により変換された前記静止画データを、所望のタイミングで再生されるように、前記記録媒体に対し書き込むように制御する制御手段とを備えていることを特徴とする録画装置。
【請求項２】
前記制御手段は、所望の再生時間分だけ圧縮変換した前記静止画を複製して、前記動画書込手段に書き込ませることを特徴とする請求項１に記載の録画再生装置。
【請求項３】
前記制御手段は、圧縮変換した前記静止画データを、既存の動画ファイル内に書き加えさせることを特徴とする請求項１又は２に記載の録画装置。
【請求項４】
前記制御手段は、圧縮変換した前記静止画データを、新規の動画ファイル内に書き込ませることを特徴とする請求項１又は２に記載の録画装置。
【請求項５】
前記動画用記録形式のデータは、ＭＰＥＧ方式におけるＩピクチャデータであることを特徴とする請求項１又は２記載の録画装置。
【発明の詳細な説明】
【０００１】
【発明の属する技術分野】
本発明は、ＪＰＥＧ等の静止画用記録形式の静止画ファイルを、ＭＰＥＧ等の動画用記録形式で記録できる録画装置に関するものである。
【０００２】
【従来の技術】
従来、家庭用の録画再生装置において、動画像はＤＶＤやビデオテープ等に代表される記録媒体に記録される。また、それらの再生装置の中には、デジタルカメラ等で取った写真が静止画として記録されたメモリカード等を読み込み、閲覧できる録画再生装置がある。それらの録画再生装置は静止画をリムーバブル記録媒体や、内蔵された固定ＨＤＤ装置に記録保存することもできる。
【０００３】
また、リムーバブル記録媒体の中で、書換型ＤＶＤ（ＤＶＤ−ＲＡＭ，ＤＶＤ−ＲＷ，ＤＶＤ＋ＲＷ）は、動画像を圧縮・符号化することにより得られたＭＰＥＧストリームの記録に適した記録媒体として急速に普及しつつあり、ＤＶＤプレーヤ（再生装置）およびＤＶＤレコーダ（録画再生装置）は、活躍の場を広げつつある。動画像の記録を主たる用途とした書換型ＤＶＤであるが、ＤＶＤ−ＶＩＤＥＯ  ＲＥＣＯＲＤＩＮＧ規格には、この書換型ＤＶＤに静止画を記録させ、ＤＶＤプレーヤにこの静止画を表示させるという、静止画の記録・再生に関する記載がある。
【０００４】
ＤＶＤ−ＶＩＤＥＯ  ＲＥＣＯＲＤＩＮＧ規格からの引用によると、静止画は一般に、静止画ビデオオブジェクト（ＶＯＢ）という単位で扱われる。静止画ＶＯＢは、静止画に対応するピクチャデータであり、フレーム内１符号化されたピクチャデータであるＩピクチャと、ＳＥＱＵＥＮＣＥ  ＥＮＤ  ＣＯＤＥとを含む。
【０００５】
ＳＥＱＵＥＮＣＥ  ＥＮＤ  ＣＯＤＥは、ピクチャデータ列の終了部であることを示すコードであり、ＤＶＤプレーヤに内蔵されているＭＰＥＧデコーダが、このＳＥＱＵＥＮＣＥ  ＥＮＤ  ＣＯＤＥを解読すれば、最後にデコードしたピクチャデータを表示した状態のままフリーズする。静止画ＶＯＢにＳＥＱＵＥＮＣＥ  ＥＮＤ  ＣＯＤＥを挿入することにより、動画像の再生を前提として構成されているＤＶＤプレーヤであっても、静止画の表示を行うことができる。
【０００６】
また、静止画を所望の順序／タイミングで動画と合成したり、動画／静止画を切り替え表示をしながらそれを動画として保存するという発明（特許文献１参照）や、静止画区間−動画区間からなる再生経路が書換型ＤＶＤに記録されている場合に、シームレスな再生を行うことができるという再生装置の発明がある（特許文献２参照）。
【０００７】
【特許文献１】
特開平１１−２３９３１８号公報
【特許文献２】
特開２００２−８４５０８号公報
【０００８】
【発明が解決しようとする課題】
しかし、動画コンテンツファイルと静止画ファイルでは記録形式が違うため、録画再生装置によっては、動画と静止画を同じ書換型ＤＶＤなどに記録することができないという問題点がある。また、静止画用記録形式のファイル再生に対応していないＤＶＤプレーヤ等の再生装置では、メディアを読み込むことができても、静止画ファイルの閲覧ができないという問題点がある。
【０００９】
例えば、従来の録画再生装置において、デジタルカメラ等で撮って記録された静止画ファイルと録画再生装置で録画した放送などの動画ファイルは別々の形式で記録されている。そのため、リムーバブルＨＤＤなどのリムーバブル記録媒体にそれらのデータを記録しようとすると、どちらかの形式しか保存できない、あるいは保存できても再生できない場合がある。
【００１０】
図１２に示す従来の録画再生システムは、モニタ１２０１、録画再生装置１２０２と、録画再生装置１２０２のメニュー操作／録画再生操作等全般の操作を行うリモコン１２０３で構成される。そして、録画再生装置１２０２は、ユーザインターフェイス（Ｕ／Ｉ）部１２０４、システム制御部１２０５、ドライブ装置部１２０６，１２０７、出力部１２０８、動画読込／書込部１２０９、静止画読込／書込部１２１０を備える。リムーバブルＨＤＤ１２１１には、複数のＭＰＥＧ形式の動画コンテンツファイルが記録されており、メモリカード１２１２には複数のＪＰＥＧ形式の静止画ファイルが記録されている。
【００１１】
また、図１３に示す従来の再生システムは、モニタ１２０１、再生装置１３０２と、再生装置１３０２のメニュー操作／録画再生操作等全般の操作を行うリモコン１３０３で構成される。そして、再生装置１３０２は、ユーザインターフェイス（Ｕ／Ｉ）部１３０４、システム制御部１３０５、ドライブ装置部１３０６、出力部１３０７、動画再生部１３０８を備える。
【００１２】
例えば、図１２および図１３に示すような従来の録画再生装置１２０２および再生装置１３０２には、各コンテンツファイルに応じた動画読込／書込部１２０９、静止画読込／書込部１２１０（図１２参照）あるいは動画再生部１３０８（図１３参照）が備えてあり、記録形式に応じたコンテンツファイルの録画あるいは再生が可能である。しかし、図１２に示す静止画用記録形式に対応した録画再生装置１２０２にて静止画ファイルをそのまま再生し、リムーバブルＨＤＤ１２０９に静止画ファイルを記録したとしても、図１３に示すような静止画ファイル再生に対応していない再生装置１３０２ではリムーバブルＨＤＤ１２０９から静止画ファイルを再生することができない。
【００１３】
そのような再生装置においても、ＤＶＤ−ＶＩＤＥＯ  ＲＥＣＯＲＤＩＮＧ規格のＳＥＱＵＥＮＣＥ  ＥＮＤ  ＣＯＤＥを用いて静止画表示できる動画ならば、静止画ファイルそのものが再生できるわけではないが、静止画を動画として再生装置で再生することができる。また、動画区間では、様々な特殊再生の指定が可能であるのに対して、静止画区間の再生にあたっては、通常再生が命じられようと、特殊再生が命じられようとＳＥＱＵＥＮＣＥ  ＥＮＤ  ＣＯＤＥの解読により、一律に再生を停止しており、早送りなどしている時でも静止画に到達した時点で必ず静止してしまうなど、ユーザの意図を汲むような再生制御は一切行われていないという問題点がある。
【００１４】
本発明は、前記のような従来技術における問題点を解決するため、動画用記録形式にのみ対応した再生装置においても、静止画データを、所望の順序とタイミングで再生できるように記録する録画装置を提供することを目的とする。
【００１５】
【課題を解決するための手段】
本発明は、記録媒体に対して動画データを書き込みできる録画装置であって、静止画用記録形式の静止画データを動画用記録形式の静止画データに圧縮変換する静止画圧縮手段と、前記記録媒体に動画用記録形式のデータを書き込む動画書込手段と、前記動画書込手段が、前記静止画圧縮手段により圧縮変換された前記静止画データを、所望のタイミングで再生されるように、前記記録媒体に対し書き込むように制御する制御手段とを備えていることを特徴とする。
【００１６】
ここで、前記制御手段は、所望の再生時間分だけ圧縮変換した前記静止画を複製して、前記動画書込手段に書き込ませることを特徴とする。
【００１７】
さらに、前記制御手段は、圧縮変換した前記静止画データを、既存の動画ファイル内に書き加えさせてもよいし、圧縮変換した前記静止画データを、新規の動画ファイル内に書き込ませてもよい。
なお、前記動画用記録形式のデータは、ＭＰＥＧ方式におけるＩピクチャデータである。
【００１８】
本発明の録画再生装置においては、動画や静止画を録画／再生できるリムーバブル記録媒体を扱うことができる。静止画をＭＰＥＧ規格で圧縮し、静止画を示すＩピクチャを含むＧＯＰ（Ｇｒｏｕｐ  ｏｆ  Ｐｉｃｔｕｒｅｓ  Ｈｅａｄｅｒ）に変換する手段を備えることで、新規動画ファイルとして記録する、あるいは、既存の動画ファイルの中に自由なタイミングで表示できるように、ＧＯＰを付け加えて記録する。
【００１９】
このＧＯＰを動画コンテンツファイルとして記録する際に、指定する静止画の再生時間に応じて、同じＩピクチャを含むＧＯＰを増減させて記録することで、静止画を示すＧＯＰが多ければ再生時間が長く、少なければ短くすることができる。また、ＧＯＰの先頭のＩピクチャを参照して倍速再生などのスキップ処理をする時には、動画と同様の特殊再生などを行うことができる。
【００２０】
【発明の実施の形態】
以下、この発明の実施の形態について図面を参照して詳細に説明する。
【００２１】
図１は、この発明の実施形態としての録画再生装置を含むシステム構成を示すブロック図である。この録画再生システムは、ＴＶなどに代表される、放送や録画内容等の表示を行うためのモニタ１０１、録画再生装置１０２と、録画再生装置１０２のメニュー操作／録画再生操作等全般の操作を行うリモコン１０３で構成される。
【００２２】
録画再生装置１０２の内部構成について説明する。本図において録画再生装置１０２は、ユーザインターフェイス（Ｕ／Ｉ）部１０４、システム制御部１０５、ドライブ装置部１０６，１０７、出力部１０８、動画読込／書込部１０９、静止画読込／書込部１１０、静止画圧縮部１１１を備える。
【００２３】
リムーバブルＨＤＤ１１２には、複数のＭＰＥＧ形式（動画用記録形式）の動画コンテンツファイルが記録されており、メモリカード１１３には複数のＪＰＥＧ形式（静止画用記録形式）の静止画ファイルが記録されている。なお、前記リムーバブルＨＤＤ１１２およびメモリカード１１３は、リムーバブル記録媒体の一例で、録画再生装置本体に対して容易に取り外しが可能であり、動画コンテンツファイルおよび静止画ファイルが記録可能である。このリムーバブル記録媒体には、たとえば、ＣＤ−ＲＷ、ＤＶＤ−ＲＡＭ、ＤＶＤ−ＲＷ、ＤＶＤ＋ＲＷ等のディスク形状のリムーバブル記録媒体や、フラッシュメモリ、コンパクトフラッシュ（登録商標）、スマートメディア、メモリースティック、ＳＤカード等のリムーバブル記録媒体も含まれる。
【００２４】
Ｕ／Ｉ部１０４は、リモコン１０３、モニタ１０１を用いた対話操作をユーザに対して供給する。すなわち、リムーバブルＨＤＤ１１２に記録されている動画コンテンツを利用する場合は、ユーザがリモコン１０３を操作してコンテンツ処理モードにすると、この指示がＵ／Ｉ部１０４を介してシステム制御部１０５に入力される。システム制御部１０５は、動画読込／書込部１０９を介して、ドライブ装置部１０６に挿入されたリムーバブルＨＤＤ１１２に記録されているコンテンツ数などを取得し、コンテンツが選択できるような番組表（コンテンツリスト）を出力部１０８を介してモニタ１０１に描画する。その後、ユーザは、モニタ１０１に描画されたコンテンツリストを見ながら、リモコン１０３を用いてコンテンツリストに対するコンテンツ指定を行う。システム制御部１０５は、Ｕ／Ｉ部１０４を介してコンテンツ指定を受け付け、指定されたコンテンツに対して、再生や編集などの指示が入力されるのを待つ。
【００２５】
また、同様にドライブ装置部１０７に挿入されたメモリカード１１３に記録されている静止画ファイルを利用する場合も同様である。すなわち、メモリカード１１３に記録されている静止画ファイルを利用する場合は、ユーザがリモコン１０３を操作してメモリカード１１３の静止画ファイル処理モードにすると、この指示がＵ／Ｉ部１０４を介してシステム制御部１０５に入力される。システム制御部１０５は、静止画読込／書込部１１０を介して、ドライブ装置部１０７に挿入されたメモリカード１１３から記録されているファイル数などを取得し、静止画が選択できるようなリストを出力部１０８を介してモニタ１０１に表示する。その後、ユーザは、モニタ１０１に描画された静止画リストを見ながら、リモコン１０３を用いて静止画の指定を行う。システム制御部１０５は、Ｕ／Ｉ部１０４を介して静止画指定を受け付け、指定された静止画に対して、再生や編集などの指示が入力されるのを待つ。
【００２６】
また、本実施例での動画コンテンツファイルは前述したように、ＭＰＥＧ形式の動画ファイルとする。この形式の画像データの構成は、複数のＧＯＰおよびランダムアクセスに利用するためにＧＯＰの前につけられるシーケンスヘッダ（ＳＨ）とに分割される構成となっている。
【００２７】
次に、ＧＯＰの内部構成について説明する。
図２は、ＧＯＰの内部構造を示す図である。本図に示すように各ＧＯＰは、モニタの表示フレームで表示されるピクチャデータを複数配置しており、通常約０．５秒の再生時間に相当するビデオストリームの一部分である。ただし、ピクチャデータには、過去方向および未来方向に再生されるべき画像との時間相関特性を用いて圧縮されているＢｉｄｉｒｅｃｔｉｏｎａｌｌｙ  ｐｒｅｄｉｃｔｉｖｅ（Ｂ）ピクチャ（双方向予測符号化画像）、過去方向に再生されるべき画像との時間相関特性を用いて圧縮されているＰｒｅｄｉｃｔｉｖｅ（Ｐ）ピクチャ（フレーム間順方向予測符号化画像）、時間相関特性を用いずに、一フレーム分の画像内での空間周波数特性を利用して圧縮されているＩｎｔｒａ（Ｉ）ピクチャ（フレーム内符号化画像）といった３つのタイプのものがある。
【００２８】
本実施例において、動画ファイルとして記録されているビデオストリームはＧＯＰを構成するＩ、Ｐ、Ｂピクチャを順に読み込み、モニタ１０１に表示することで動画を再生する。
【００２９】
録画再生装置１０２は、この動画ファイルを録画する際、ＧＯＰの前にあるＳＨからアクセスするＧＯＰを検索し、Ｉピクチャの位置を取り出し、特殊再生時にＧＯＰの先頭のＩピクチャの位置を利用できる。例えば、２倍速の早送りではＩピクチャを１個おきに表示し、１０倍速の早送りのときは９個おきに表示するというような早送り再生方法ができるものとする。
【００３０】
前述したように、図１２に示す静止画ファイルに対応した従来の録画再生装置にて静止画ファイルをそのまま再生し、リムーバブルＨＤＤメディアに静止画ファイルを記録したとしても、図１３に示すような静止画ファイル再生に対応していない従来再生装置では再生することができない。そこで、図１に示すように、録画再生装置に静止画圧縮部を設けて、静止画を、他メディアに記録する際に画像を動画用記録形式に圧縮し直すことで、動画ファイルとして静止画を記録することができる。
【００３１】
例えば、図３（ａ）に示すようにリムーバブルＨＤＤに静止画データと動画データが記録されている場合に、静止画用記録形式に対応していない再生装置では静止画データを正常に再生することはできない。一方、図３（ｂ）に示すように、静止画用記録形式で記録されたデータを動画用記録形式に圧縮し直して記録した場合、動画を再生する手順で静止画の再生を行うことができる。ただし、これはあくまで一例であり、記録メディアや記録されるデータの記録形式などを限定するものではない。
【００３２】
次に、圧縮の手法について説明する。ＭＰＥＧ規格で定められているように、画像をＤＣＴ変換後、目的の圧縮率になるように量子化の度合いを調整する。これをＧＯＰを形成するＩピクチャとしてＶＬＣ符号化することで、静止画データを動画用記録形式であるＩピクチャのデータ形式に変換することができる（ＭＰＥＧ１規格（ＩＳＯ／ＩＥＣ  １１１７２−２：１９９３）参照）。
【００３３】
以下、静止画用記録形式のデータで記録されたファイルを動画用記録形式で記録する時の処理について説明する。第一に、既存の動画コンテンツの一部として記録する場合について説明する。
【００３４】
この場合、動画コンテンツのリストから、ユーザがリモコン１０３を用いて編集したいコンテンツを選択し、コンテンツ編集モードに入る。動画の編集モードの一例としては、再生時にリモコンで開始点と終了点を指定することで、コンテンツを単独あるいは複数のシーンに分けて記録するといった編集をすることができる。ただし、これは録画再生装置における編集機能の一例であり、限定するものではない。また、静止画データは、リムーバブル記録媒体から読み込むことになっているが、例えば、ＬＡＮやインターネット等から取り込んでもよい。
【００３５】
動画コンテンツに静止画を好きなタイミングで付け加える時の処理のフローチャートを図４に示す。
本実施例において、編集モード時に動画の途中に静止画を挿入する場合、挿入したい場面が再生された時に、ユーザがリモコン操作で静止画挿入命令を与える（Ｓ４０１）。一方、Ｓ４０１にて静止画挿入命令を与えず、キャンセル等をした場合は、そのまま処理を終了する。
【００３６】
静止画ファイルが静止画用記録形式で記録されているメモリカード１１３がドライブ装置部１０７に挿入されている場合に、システム制御部１０５は、静止画挿入命令を受け付けると、メモリカード１１３から静止画ファイルを読み込み、読み込まれた静止画により静止画ファイルのリストを出力部１０８を介してモニタ１０１に表示する（Ｓ４０２）。そして、ユーザがどの静止画ファイルを挿入するかをリモコン１０３により選択できるようにする（Ｓ４０３）。挿入する静止画をユーザがリモコン操作で選択したら、システム制御部１０５は、ドライブ装置部１１３に装着されているメモリカード１１３から選択された静止画を、静止画読込／書込部１１０を介して読み出し、静止画圧縮部１１１において、動画用記録形式であるＭＰＥＧ規格で静止画を圧縮する。
【００３７】
具体的には、静止画圧縮部１１１が画像をＤＣＴ変換後、目的の圧縮率になるように量子化の度合いを調整し、これをＧＯＰを形成するＩピクチャとしてＶＬＣ符号化することで、静止画データを動画用記録形式であるＩピクチャの形式に変換する（ＭＰＥＧ１規格（ＩＳＯ／ＩＥＣ  １１１７２−２：１９９３）参照）。Ｐ／Ｂピクチャについては、図５に示すように、システム制御部１０５は、Ｉピクチャの画像を複製し、ＧＯＰを構成するピクチャデータに変化がない０．５秒分の静止画のＧＯＰをつくり、動画読込／書込部１０９によりリムーバブルＨＤＤ１１２の動画コンテンツに静止画をＧＯＰとして挿入し記録を行う（Ｓ４０４）。
【００３８】
従来の静止画再生については、図６（ａ）で示すように、静止画を示すＩピクチャについてＳＥＱＵＥＮＣＥ  ＥＮＤ  ＣＯＤＥを挿入し、再生する時においてＳＥＱＵＥＮＣＥ  ＥＮＤ  ＣＯＤＥが読みこまれた場合に、強制的に停止状態にしていた。しかし、本実施例では図６（ｂ）で示すように、静止画像の再生時間を設定し、それに応じてＩピクチャを含むＧＯＰを複製して順に再生することで、ユーザが望む時間だけ静止画を再生させる。本実施例で、一つのＧＯＰの再生時間は前述したとおり０．５秒なので、図７に示すように、１秒再生するならば、同じＩピクチャをもつＧＯＰを２個作り、４秒再生するならば、８個作る。
【００３９】
以下、ユーザからリモコン１０３を用いて表示時間を指定するので（Ｓ４０５）、これに応じてシステム制御部１０５がＧＯＰの数を増やす。Ｓ４０６において、静止画を動画に付け加えたい場合、Ｓ４０６からＳ４０２へ処理を移し、同様の操作を繰り返すことで、動画コンテンツの切れ目などの好きな地点で、静止画をユーザが再生したい時間だけ再生することができる。
【００４０】
本実施例の録画再生装置において特殊再生を行う場合の一例として、図８を参照し、録画再生装置により行われる倍速再生時の処理について説明する。動画の再生にあたっては、ピクチャデータをスキップしながら読み出すことにより、倍速再生を実現する。
【００４１】
図８（ａ）は、複数のＧＯＰに含まれるピクチャデータを順次再生していくという通常再生を示す。図８（ｂ）は、ＧＯＰに存在するＢピクチャ、Ｐピクチャをスキップして、Ｉピクチャを順次読み出すという倍速再生を示す図である。
【００４２】
システム制御部１０５は、リモコン１０３から受け付けた速度に応じてスキップするピクチャデータの数を調整することにより、動画の再生速度を増減させる。動画コンテンツ中の静止画から変換した部分においても、再生時間分のＩピクチャが存在するので、動画中の静止画再生の際にも動画ファイルと同様な操作で静止画の倍速再生を扱うことが可能である。
【００４３】
一例を図９に示す。従来（ＤＶＤ−Ｖｉｄｅｏ  Ｒｅｃｏｒｄｉｎｇ規格）は、動画の途中で静止画の再生が行われる場合、通常再生の場合でも倍速再生をしても、図９（ａ）に示すように、必ず静止画を示すＩピクチャで再生を一時停止して、リモコン操作をする必要があり、静止画が連続している時など、操作が煩雑になってしまう。本実施例の場合、静止画の再生時間はＩピクチャを含むＧＯＰの数に対応しているため、図９（ｂ）に示すように、静止画を示すＩピクチャでも動画と同じようにスキップしていくことで、倍速再生の時に静止画の再生時間を短縮して表示することができる。
【００４４】
また、変換、挿入する静止画は、再生時はユーザが指定した地点で再生されるが、ＧＯＰを付け加えるアドレス位置については、元々存在する動画の途中のＧＯＰとＧＯＰの間に挟むようにして付け加えても、最終ＧＯＰの後ろに付け加えても構わない。
【００４５】
動画、静止画、動画の順に再生するような動画コンテンツの一例を図１０に示す。図１０（ａ）の場合は、ＧＯＰを順番に読んでいけば、動画、静止画、動画の順に再生される。図１０（ｂ）の場合は、再生順番に対応したＧＯＰの前のＳＨ位置を記録することで、動画Ａの最終ＧＯＰの再生が終了した後、次に再生するＳＨ位置を検索し、再生するポイントをそのＳＨに対応したＧＯＰのＩピクチャ位置に移すことで指定した順番で再生するようにできる。
【００４６】
このようにすることで、複数の静止画や動画のシーンの再生順番を自由に設定することもできる。例えば、記録されているＩピクチャをサムネイル表示することで、動画のシーンの先頭のＩピクチャおよび静止画の一覧を閲覧することなどができる。この時に、リモコンを使い、シーン再生の順番を指定するなどして、簡易に再生順番を変更することもできる。ただし、これは複数の静止画や動画のシーンの再生順番を自由に設定する機能の一例であり、処理や機能を限定するものではない。
【００４７】
第二に、新規の動画コンテンツとして記録する場合について説明する。
静止画ファイルから新規動画コンテンツファイルを記録する時の処理のフローチャートを図１１に示す。この場合、まず、リモコン１０３の操作で、メモリカード１１３から読み出された静止画リストから動画用記録形式に変換したい静止画を選択し（Ｓ１１０１）、処理をＳ１１０２に移す。ただし、ここでキャンセルなどをして静止画を選ばない場合、処理は終了する。
【００４８】
システム制御部１０５は、選択された静止画ファイルをメモリカード１１３から静止画読込／書込部１１０に読み込ませ、読み込まれた静止画を静止画圧縮部１１１に送る。静止画圧縮部１１１は、画像をＤＣＴ変換後、目的の圧縮率になるように量子化の度合いを調整して、ＩピクチャとしてＶＬＣ符号化する（Ｓ１１０２）。こうして圧縮された静止画画像は、動画読込／書込部１０９を介してシステム制御部１０５に送られる。Ｐ／Ｂピクチャについては、図５に示すように、システム制御部１０５は、Ｉピクチャの画像を複製し、ＧＯＰを構成するピクチャデータに変化がない０．５秒分の静止画のＧＯＰをつくり、静止画像の再生時間を設定してから、ＭＰＥＧ形式の動画コンテンツとして動画読込／書込部１１０へ送り、ドライブ装置部１０６に装着されているリムーバブルＨＤＤ１１２に新規に記録を行う（Ｓ１１０３）。この新しい動画ファイルは、静止画のＧＯＰのみで構成されているため、再生時は、基本的に指定した時間再生された時点で再生停止することになる。
【００４９】
この新規に作った静止画再生を行う動画ファイルに対して、他の静止画を加えていく（Ｓ１１０４）ならば、処理をＳ１１０５に移し、動画読込／書込部１０９によりリムーバブルＨＤＤ１１２に記録する。一方、静止画ファイルを加えない場合に、他に新規の静止画ファイル（Ｉピクチャの動画用記録形式データで構成される）を作る時は、Ｓ１１０１に処理を移し、作らない時はそのまま処理を終了する。
【００５０】
Ｓ１１０５とＳ１１０４の処理を繰り返すことで、静止画を好きな順番で好きな時間ずつ再生できる静止画のスクリーンショーを行う動画コンテンツファイルを作成することができる。また、既存の記録する際に音楽データを組み合わせることで、音楽付きの静止画を記録することも可能である。
【００５１】
このようにして、静止画を動画形式で記録することで、静止画と動画が同じ形式で表示／閲覧できる（動画コンテンツのリストにすべて表示できる）ので、モードの切り替え作業を行うことなく、好きな静止画を選択し、閲覧することができる。また、実施形態の録画再生装置は、実施形態にあるような据え置き型の録画再生装置に限定はされないものとし、例えば、デジタルビデオカメラ（カムコーダ）のように、持ち運びできる録画再生装置なども含まれるものとする。
【００５２】
【発明の効果】
本発明によれば、静止画のデータ形式の再生に対応していない再生装置でも、静止画データの内容を動画用記録形式に変換することで、閲覧が可能になり、静止画／動画のモード切替や記録メディアの交換などの手間が緩和される。また、動画用記録形式の静止画は録画再生装置の特殊再生を行う場合に動画部分と静止画部分が切り替わる時でも、ユーザは通常の動画と同じように扱え、コンテンツの倍速再生などで早く進めたい場合などに、手間を軽減することができる。
【００５３】
また、本発明は、静止画データを動画用記録形式のデータにして再生時間分だけ複製して再生したいタイミングの位置に記録するので、静止画動画コンテンツ中の静止画の再生タイミングや時間をユーザが自由に設定できる。
【図面の簡単な説明】
【図１】本発明の実施形態としての録画再生装置を含むシステム構成を示すブロック図である。
【図２】ＧＯＰの内部構造を示す図である。
【図３】ＧＯＰ中のピクチャデータを再生する際の読み出し方法を示す図である。
【図４】静止画を動画に加えて記録する処理の一例を示すフローチャートである。
【図５】静止画を示すＧＯＰの内部構成を示す図である。
【図６】動画中の静止画の再生方法を示す図である。
【図７】静止画を示すＧＯＰの数と再生時間の対応を示す図である。
【図８】動画ファイルの倍速再生を示す図である。
【図９】静止画が含まれる場合の倍速再生時のＩピクチャの参照順を示す図である。
【図１０】静止画を変換したＧＯＰの挿入位置と再生方法を示す図である。
【図１１】静止画を新規動画ファイルとして記録する処理の一例を示すフローチャートである。
【図１２】従来のリムーバブル記録媒体と再生装置の一実施形態および内部構成を示す図である。
【図１３】従来のリムーバブル記録媒体と録画再生装置の一実施形態および内部構成を示す図である。
【符号の説明】
１０１  モニタ
１０２  録画再生装置
１０３  リモコン
１０４  ＵＩ部
１０５  システム制御部
１０６  ドライブ装置
１０７  ドライブ装置
１０８  出力部
１０９  動画読込／書込部
１１０  静止画読込／書込部
１１１  静止画圧縮部
１１２  リムーバブルＨＤＤ
１１３  メモリカード
【図１】
2005012270.tif 000003
【図２】
2005012270.tif 000004
【図３】
2005012270.tif 000005
【図４】
2005012270.tif 000006
【図５】
2005012270.tif 000007
【図６】
2005012270.tif 000008
【図７】
2005012270.tif 000009
【図８】
2005012270.tif 000010
【図９】
2005012270.tif 000011
【図１０】
2005012270.tif 000012
【図１１】
2005012270.tif 000013
【図１２】
2005012270.tif 000014
【図１３】
2005012270.tif 000015